(57)【要約】  本願発明の複数の実施形態は、端末音声制御方法を開示する。方法は、ユーザの音声命令が受信されたときに、音声命令を識別し、音声命令からウェークアップ指示情報を抽出する段階と、抽出によりウェークアップ指示情報が得られた場合に、音声命令の音声照合を実行する段階と、音声照合が成功した後に、音声命令から処理指示情報を抽出し、処理指示情報に従ってユーザの音声命令に応答する段階とを備える本願発明の複数の実施形態における端末音声制御方法によると、ユーザは、複数回の音声インタラクションを要することなく、複数のタスクを完了するよう端末を制御するために１つの音声命令を用いればよく、これにより利用が簡単となり、高セキュリティ性能がもたらされる。
2016502829.tif 000002
【特許請求の範囲】
【請求項１】
ユーザの音声命令が受信されたときに、前記音声命令を識別し、前記音声命令からウェークアップ指示情報を抽出する段階と、
抽出により前記ウェークアップ指示情報が得られた場合に、前記音声命令の音声照合を実行する段階と、
前記音声照合が成功した後に、前記音声命令から処理指示情報を抽出し、前記処理指示情報に従って前記ユーザの前記音声命令に応答する段階と
を備える、端末音声制御方法。
【請求項２】
前記音声照合が成功した後に、前記音声命令から前記処理指示情報を抽出し、前記処理指示情報に従って前記ユーザの前記音声命令に応答する段階は、
前記音声照合が成功した後に、端末がスクリーンロック状態にあることを検出した場合に、端末スクリーンを明るくし、前記端末スクリーンをアンロックし、前記音声命令から前記処理指示情報を抽出し、前記処理指示情報に従って前記ユーザの前記音声命令に応答する段階と、
前記音声照合が成功した後に、前記端末がスクリーンロック状態にないことを検出した場合に、前記音声命令から前記処理指示情報を抽出し、前記処理指示情報に従って前記ユーザの前記音声命令に応答する段階と
を有する、請求項１に記載の端末音声制御方法。
【請求項３】
抽出によりウェークアップ指示情報が得られない場合に、前記ユーザの音声命令の受信を継続して待機する段階をさらに備える、請求項１に記載の端末音声制御方法。
【請求項４】
前記音声照合が失敗したときに再照合を促し、照合回数が閾値を超えても前記照合がまだ失敗である場合に、前記ユーザの音声命令の受信を停止する段階をさらに備える、請求項１に記載の端末音声制御方法。
【請求項５】
前記音声照合が成功した後に、前記音声命令から前記処理指示情報を抽出し、前記処理指示情報に従って前記ユーザの前記音声命令に応答する段階は、
前記ウェークアップ指示情報が前記音声命令から取り除かれた後に前記音声命令の前記処理プロンプト情報を抽出し、前記処理指示情報をテキストに変換する段階と、
前記テキストに従って前記処理プロンプト情報の意味を識別し、得られた前記意味に従って応答を行う段階と
を有する、請求項１に記載の端末音声制御方法。
【請求項６】
ユーザの音声命令が受信されたときに、前記音声命令を識別し、前記音声命令からウェークアップ指示情報を抽出するよう構成された受信ユニットと、
抽出により前記ウェークアップ指示情報が得られた場合に、前記音声命令の音声照合を実行するよう構成された第１抽出ユニットと、
前記音声照合が成功した後に、前記音声命令から処理指示情報を抽出し、前記処理指示情報に従って前記ユーザの前記音声命令に応答するよう構成された第１処理ユニット段階と
を備える、端末音声制御装置。
【請求項７】
前記第１処理ユニットは、
前記音声照合が成功した後に、端末がスクリーンロック状態にあることを検出した場合に、端末スクリーンを明るくし、前記端末スクリーンをアンロックし、前記音声命令から前記処理指示情報を抽出し、前記処理指示情報に従って前記ユーザの前記音声命令に応答するよう構成された第１実行モジュールと、
前記音声照合が成功した後に、前記端末がスクリーンロック状態にないことを検出した場合に、前記音声命令から前記処理指示情報を抽出し、前記処理指示情報に従って前記ユーザの前記音声命令に応答するよう構成された第２実行モジュールと
を有する、請求項６に記載の端末音声制御装置。
【請求項８】
抽出によりウェークアップ指示情報が得られない場合に、前記ユーザの音声命令の受信を継続して待機するよう構成された第２抽出ユニットをさらに備える、請求項６に記載の端末音声制御装置。
【請求項９】
前記音声照合が失敗したときに再照合を促し、照合回数が閾値を超えても前記照合がまだ失敗である場合に、前記ユーザの音声命令の受信を停止するよう構成された第２処理ユニットをさらに備える、請求項６に記載の端末音声制御装置。
【請求項１０】
前記第１処理ユニットは、
前記ウェークアップ指示情報が前記音声命令から取り除かれた後に前記音声命令の前記処理プロンプト情報を抽出し、前記処理指示情報をテキストに変換するよう構成された変換モジュールと、
前記テキストに従って前記処理プロンプト情報の意味を識別し、得られた前記意味に従って応答を行うよう構成された応答モジュールと
を有する、請求項６に記載の端末音声制御装置。
【請求項１１】
オーディオモニタリングユニットと、
プロセッサと
を備え、
前記オーディオモニタリングユニットは、ユーザにより発せられた音声命令を捉えるよう構成され、
前記プロセッサは、
前記ユーザの前記音声命令が受信されたときに、前記音声命令を識別し、前記音声命令からウェークアップ指示情報を抽出し、
抽出により前記ウェークアップ指示情報が得られた場合に、前記音声命令の音声照合を実行し、
前記音声照合が成功した後に、前記音声命令から処理指示情報を抽出し、前記処理指示情報に従って前記ユーザの前記音声命令に応答するよう構成される、端末。
【発明の詳細な説明】
【技術分野】
【０００１】
本願は、発明の名称が「ＴＥＲＭＩＮＡＬ  ＶＯＩＣＥ  ＣＯＮＴＲＯＬ  ＭＥＴＨＯＤ  ＡＮＤ  ＡＰＰＡＲＥＴＵＳ，  ＡＮＤ  ＴＥＲＭＩＮＡＬ」であり、中国特許庁に２０１３年１１月１５日に提出された中国特許出願第ＣＮ  ２０１３１０５７４７６２．８号の優先権を主張する。同特許出願はその全体が本明細書において参照により組み込まれる。
【０００２】
本願発明は、端末技術の分野に関し、特に、端末音声制御方法および装置、並びに端末に関する。
【背景技術】
【０００３】
科学および技術の発展と共に、スマートフォンは人々の生活において必需品となってきた。ユーザによる、スマートフォンの操作の実行を促すために、殆どのスマートフォンは現在、音声制御機能を有している。ユーザは携帯電話に対して音声命令を発することが出来、携帯電話は音声命令に対して応答を行う。しかし従来技術において、先述した解決法は、複数回、複数の異なる音声エンジンを別々に呼び出すことにより実装される。例えば、ユーザが所有者であるか否かをまず識別するために音声ウェークアップエンジンおよび声紋認識エンジンが用いられ、その後携帯電話がウェークアップさせられ、携帯電話はその後、ユーザの要求について問い合わせを行い、段階を追って複数の質問に答えるようユーザに指示する。ユーザが複数の質問に答えた後、携帯電話は、ユーザが複数の質問に答えたときにユーザにより発せられた音声命令を識別し、識別結果に従ってユーザの音声命令を実行する。
【０００４】
先述の音声制御法の欠点は、複数の音声命令が連続せず、ユーザに、段階を追って問い合わせ、複数の質問に答えるよう指示する必要があることとなり、次の段階は、ユーザが複数の質問に答え終えた後に開始され、各段階を実行するプロセスが煩わしくなり、ユーザにとって、携帯電話の音声制御機能を利用することが非常に不便になるということである。携帯電話が待機しているとき、携帯電話に対して命令を直接発することが出来ない。携帯電話の更なる操作が実行出来るようになる前に、携帯電話はウェークアップさせられる必要がある。
【発明の概要】
【０００５】
本願発明の複数の実施形態で提供される端末音声制御方法によると、複数のタスクを完了するよう端末を制御するために１つの音声命令が用いられ得る。
【０００６】
第１態様によると、本願発明の実施形態は、ユーザの音声命令が受信されたときに、上記音声命令を識別し、上記音声命令からウェークアップ指示情報を抽出する段階と、抽出により上記ウェークアップ指示情報が得られた場合に、上記音声命令の音声照合を実行する段階と、上記音声照合が成功した後に、上記音声命令から処理指示情報を抽出し、上記処理指示情報に従って上記ユーザの上記音声命令に応答する段階とを備える、端末音声制御方法を提供する。
【０００７】
第１態様を参照すると、第１態様の第１の可能な実施法において、上記音声照合が成功した後に、上記音声命令から上記処理指示情報を抽出し、上記処理指示情報に従って上記ユーザの上記音声命令に応答する段階は、上記音声照合が成功した後に、端末がスクリーンロック状態にあることを検出した場合に、端末スクリーンを明るくし、上記端末スクリーンをアンロックし、上記音声命令から上記処理指示情報を抽出し、上記処理指示情報に従って上記ユーザの上記音声命令に応答する段階と、上記音声照合が成功した後に、上記端末がスクリーンロック状態にないことを検出した場合に、上記音声命令から上記処理指示情報を抽出し、上記処理指示情報に従って上記ユーザの上記音声命令に応答する段階とを有する。
【０００８】
第１態様を参照すると、第１態様の第３の可能な実施法において、方法は、抽出によりウェークアップ指示情報が得られない場合に、上記ユーザの音声命令の受信を継続して待機する段階をさらに備える。
【０００９】
第１態様を参照すると、第１態様の第４の可能な実施法において、方法は、上記音声照合が失敗した場合に再照合を促し、照合回数が閾値を超えても上記照合がまだ失敗である場合に、上記ユーザの音声命令の受信を停止する段階をさらに備える。
【００１０】
第１態様を参照すると、第１態様の第５の可能な実施法において、上記音声照合が成功した後に、上記音声命令から上記処理指示情報を抽出し、上記処理指示情報に従って上記ユーザの上記音声命令に応答する段階は、上記ウェークアップ指示情報が上記音声命令から取り除き、上記音声命令の上記処理プロンプト情報を抽出し、上記処理指示情報をテキストに変換する段階と、上記テキストに従って上記処理プロンプト情報の意味を識別し、得られた上記意味に従って応答を行う段階とを有する。
【００１１】
第２態様によると、本願発明の実施形態は、ユーザの音声命令が受信されたときに、上記音声命令を識別し、上記音声命令からウェークアップ指示情報を抽出するよう構成された受信ユニットと、抽出により上記ウェークアップ指示情報が得られた場合に、上記音声命令の音声照合を実行するよう構成された第１抽出ユニットと、上記音声照合が成功した後に、上記音声命令に含まれる処理指示情報を抽出し、上記処理指示情報に従って上記ユーザの上記音声命令に応答するよう構成された第１処理ユニット段階とを備える、端末音声制御装置を提供する。
【００１２】
第２態様を参照すると、第２態様の第１の可能な実施法において、上記第１処理ユニットは、上記音声照合が成功した後に、端末がスクリーンロック状態にあることを検出した場合に、端末スクリーンを明るくし、上記端末スクリーンをアンロックし、上記音声命令から上記処理指示情報を抽出し、上記処理指示情報に従って上記ユーザの上記音声命令に応答するよう構成された第１実行モジュールと、上記音声照合が成功した後に、上記端末がスクリーンロック状態にないことを検出した場合に、上記音声命令から上記処理指示情報を抽出し、上記処理指示情報に従って上記ユーザの上記音声命令に応答するよう構成された第２実行モジュールとを有する。
【００１３】
第２態様を参照すると、第２態様の第３の可能な実施法において、装置は、抽出によりウェークアップ指示情報が得られない場合に、上記ユーザの音声命令の受信を継続して待機するよう構成された第２抽出ユニットをさらに備える。
【００１４】
第２態様を参照すると、第２態様の第４の可能な実施法において、装置は、上記音声照合が失敗したときに再照合を促し、照合回数が閾値を超えても上記照合がまだ失敗である場合に、上記ユーザの音声命令の受信を停止するよう構成された第２処理ユニットをさらに備える。
【００１５】
第２態様を参照すると、第２態様の第５の可能な実施法において、上記第１処理ユニットは、上記ウェークアップ指示情報が上記音声命令から取り除き、上記音声命令の上記処理プロンプト情報を抽出し、上記処理指示情報をテキストに変換するよう構成された変換モジュールと、上記テキストに従って上記処理プロンプト情報の意味を識別し、得られた上記意味に従って応答を行うよう構成された応答モジュールとを有する。
【００１６】
第３態様によると、本願発明の実施形態は、オーディオモニタリングユニットと、プロセッサとを備え、上記オーディオモニタリングユニットは、ユーザにより発せられた音声命令を捉えるよう構成され、上記プロセッサは、上記ユーザの上記音声命令が受信されたときに、上記音声命令を識別し、上記音声命令からウェークアップ指示情報を抽出し、抽出により上記ウェークアップ指示情報が得られた場合に、上記音声命令の音声照合を実行し、上記音声照合が成功した後に、上記音声命令から処理指示情報を抽出し、上記処理指示情報に従って上記ユーザの上記音声命令に応答するよう構成された、端末をさらに提供する。
【００１７】
本願発明の複数の実施形態における端末音声制御方法によると、ユーザは、複数回の音声インタラクションを要することなく、複数のタスクを完了するよう端末を制御するために１つの音声命令を用いればよく、利用が簡単であり、高セキュリティ性能である。
【図面の簡単な説明】
【００１８】
本願発明の複数の実施形態、または、従来技術の複数の技術的解決をより明らかに説明するべく、以下において簡単に、複数の実施形態または従来技術を説明するために必要である複数の添付の図面を紹介する。一見したところ、以下の説明において添付の図面は、本願発明のいくつかの実施形態を示し、当業者はさらに、創造努力を用いることなくこれらの添付の図面から他の複数の図面を導き出し得るようである。
【００１９】
【図１】本願発明の第１実施形態に係る端末音声制御方法のフローチャートである。
【００２０】
【図２】本願発明の第２実施形態に係る端末音声制御方法のフローチャートである。
【００２１】
【図３】本願発明の第３実施形態に係る端末音声制御方法のフローチャートである。
【００２２】
【図４】本願発明の第４実施形態に係る端末音声制御装置の概略構造図である。
【００２３】
【図５】本願発明の第５実施形態に係る端末音声制御装置の概略構造図である。
【００２４】
【図６】本願発明の第６実施形態に係る端末音声制御装置の概略構造図である。
【００２５】
【図７】本願発明の第７実施形態に係る端末の概略構造図である。
【発明を実施するための形態】
【００２６】
以下において、本願発明の複数の実施形態における添付の複数の図面を参照し、本願発明の複数の実施形態における複数の技術的解決を明らかに、かつ完全に説明する。一見したところ、説明される複数の実施形態は、本願発明の複数の実施形態のうち全てではなく、一部であるようである。本願発明の複数の実施形態に基づいて、当業者によって創造努力を用いずとも得られる他の全ての複数の実施形態は、本願発明の権利保護範囲に含まれる。
【００２７】
図１は、本願発明の第１実施形態に係る端末音声制御方法のフローチャートである。本願発明の本実施形態で説明される端末は、携帯電話、ＰＤＡ、またはタブレットコンピュータなど電子デバイスを含む。方法は詳細には以下のことを含む。
【００２８】
Ｓ１０１。ユーザの音声命令が受信されたときに、音声命令を識別し、音声命令からウェークアップ指示情報を抽出する。
【００２９】
詳細には、ユーザの音声命令は、ウェークアップ指示情報および処理指示情報を含む。ここでウェークアップ指示情報は、スクリーンロック状態にある端末をウェークアップするために用いられ、処理指示情報は、特定の動作を実行するよう端末に命令するために用いられる。
【００３０】
ユーザの音声命令を識別するとは、ユーザの音声命令に含まれるウェークアップ指示情報を抽出するべく、ユーザの音声命令が、例えば、「やあ」または「こんにちは」などユーザにより事前設定されたワードである事前設定されたウェークアップワードを含むか否かを検出することである。
【００３１】
Ｓ１０２。抽出によりウェークアップ指示情報が得られた場合に、音声命令の音声照合を実行する。
【００３２】
詳細には、音声命令の音声照合を実行するとは、照合をパスしたユーザだけが端末を利用出来るように、およびさらに端末の音声操作を実行出来るように、音声命令を発したユーザが事前設定されたユーザであるか否かを判断すべく音声命令の音声の声紋認識を実行することであり、これにより、端末のセキュリティ性能が向上させられる。
【００３３】
声紋認識（Ｖｏｉｃｅｐｒｉｎｔ  Ｒｅｃｏｇｎｉｔｉｏｎ）とは、話者認識とも呼ばれ、これは、音声のあるセグメントを発する人の音声特徴に従って識別することを指すことを理解されるべきである。概して、声紋認識は２つの側面を含む。それらは、話者識別と話者判断であり、前者は数人のうち誰が音声のあるセグメントを発したのかを判断することであり、後者は、音声のあるセグメントが特定の人によって発せられたか否かを判断することである。本願発明の実施形態における声紋認識法は話者判断であり、つまり、音声のあるセグメントが、特定の事前設定された人によって発せられたか否かを識別する必要がある。
【００３４】
Ｓ１０３。音声照合が成功した後に、音声命令から処理指示情報を抽出し、処理指示情報に従ってユーザの音声命令に応答する。
【００３５】
詳細には、音声照合が成功した後に、音声命令からウェークアップ指示情報が取り除かれ、音声命令の処理プロンプト情報が抽出され、処理プロンプト情報がテキストに変換され、処理指示情報の意味がテキストに従って識別され、得られた意味に従って応答が行われる。
【００３６】
本願発明の本実施形態で提供される端末音声制御方法によると、ユーザは、複数回の音声インタラクションを要することなく、複数のタスクを完了するよう端末を制御するために１つの音声命令を用いればよく、これにより利用が簡単になる。
【００３７】
図２は、本願発明の第２実施形態に係る端末音声制御方法のフローチャートである。本願発明の本実施形態で説明される端末は、携帯電話、ＰＤＡ、またはタブレットコンピュータなど電子デバイスを含む。方法は詳細には、以下のことを含む。
【００３８】
Ｓ２０１。ユーザの音声命令が受信されたときに、音声命令を識別する。
【００３９】
詳細には、ユーザの音声命令を識別するとは、ユーザの音声命令からウェークアップ指示情報を抽出するべく、ユーザの音声命令が、例えば、「やあ」または「こんにちは」など事前設定されたワードである事前設定されたウェークアップワードを含むか否かを検出することである。
【００４０】
Ｓ２０２。抽出によりウェークアップ指示情報が得られた場合に、音声命令の音声照合を実行する。
【００４１】
詳細には、音声命令の音声照合を実行するとは、照合をパスしたユーザだけが端末を利用出来るように、およびさらに端末の音声操作を実行出来るように、音声命令を発したユーザが事前設定されたユーザであるか否かを判断すべく音声命令の音声の声紋認識を実行することであり、これにより、端末のセキュリティ性能が向上させられる。
【００４２】
Ｓ２０３。音声照合が成功した後に、端末がスクリーンロック状態にあることを検出した場合に、端末スクリーンを明るくし、端末スクリーンをアンロックし、音声命令から処理指示情報を抽出し、処理指示情報に従ってユーザの音声命令に応答する。
【００４３】
Ｓ２０４。音声照合が成功した後に、端末がスクリーンロック状態にないことを検出した場合に、音声命令から処理指示情報を抽出し、処理指示情報に従ってユーザの音声命令に応答する。
【００４４】
詳細には、端末がスクリーンロック状態にあることを検出した場合に、スクリーンロック状態にある端末は、まず音声命令のウェークアップ指示情報に従ってウェークアップされる必要があり、その後、他の段階が実行される。端末がスクリーンロック状態にない場合に、端末スクリーンを明るくする、または、端末スクリーンをアンロックする段階は実行される必要がなく、次の段階が直接実行される。
【００４５】
本願発明の本実施形態で提供される端末音声制御方法によると、ユーザは、複数回の音声インタラクションを要することなく、複数のタスクを完了するよう端末を制御するために１つの音声命令を用いればよく、これにより利用が簡単になる。
【００４６】
図３は、本願発明の第３実施形態に係る端末音声制御方法のフローチャートである。本願発明の本実施形態で説明される端末は、携帯電話、ＰＤＡ、またはタブレットコンピュータなど電子デバイスを含む。方法は詳細には以下のことを含む。
【００４７】
Ｓ３０１。ユーザの音声命令が受信されたときに、音声命令を識別し、音声命令からウェークアップ指示情報を抽出する。
【００４８】
詳細には、ユーザの音声命令は、ウェークアップ指示情報および処理指示情報を含む。ここでウェークアップ指示情報は、スクリーンロック状態にある端末をウェークアップするために用いられ、処理指示情報は、特定の動作を実行するよう端末に命令するために用いられる。
【００４９】
ユーザの音声命令を識別するとは、ユーザの音声命令に含まれるウェークアップ指示情報を抽出するべく、ユーザの音声命令が、例えば、「やあ」または「こんにちは」など事前設定されたワードである事前設定されたウェークアップワードを含むか否かを検出することである。
【００５０】
Ｓ３０２。抽出によりウェークアップ指示情報が得られた場合に、音声命令の音声照合を実行する。
【００５１】
詳細には、音声命令の音声照合を実行するとは、照合をパスしたユーザだけが端末を利用出来るように、およびさらに端末の音声操作を実行出来るように、音声命令を発したユーザが事前設定されたユーザであるか否かを判断すべく音声命令の音声の声紋認識を実行することであり、これにより、端末のセキュリティ性能が向上させられる。
【００５２】
Ｓ３０３。抽出によりウェークアップ指示情報が得られない場合に、ユーザの音声命令の受信を継続して待機する。
【００５３】
詳細には、抽出によりウェークアップ指示情報が得られない場合、端末は何ら処理を実行せず、ユーザの音声命令の受信を継続して待機する。
【００５４】
Ｓ３０４。音声照合が成功した後に、音声命令から処理指示情報を抽出し、処理指示情報に従ってユーザの音声命令に応答する。
【００５５】
詳細には、音声照合が成功した後に、音声命令からウェークアップ指示情報が取り除かれ、音声命令の処理プロンプト情報が抽出され、処理指示情報がテキストに変換され、処理プロンプト情報の意味がテキストに従って識別され、得られた意味に従って応答が行われる。
【００５６】
Ｓ３０５。音声照合が失敗した場合に再照合を促し、照合回数が閾値を超えても照合がまだ失敗である場合に、ユーザの音声命令の受信を停止する。
【００５７】
詳細には、照合回数が設定済閾値を超えても照合がまだ失敗である場合に、ユーザの音声命令の受信が停止され、ユーザは、手動でしか端末スクリーンを起動出来なく、これにより、端末の利用のセキュリティが確保される。
【００５８】
本願発明の本実施形態で提供される端末音声制御方法によると、ユーザは、複数回の音声インタラクションを要することなく、複数のタスクを完了するよう端末を制御するために１つの音声命令を用いればよく、利用が簡単であり、高セキュリティ性能である。
【００５９】
図４は、本願発明の第４実施形態に係る端末音声制御装置の概略構造図である。本願発明の本実施形態で説明される端末は、携帯電話、ＰＤＡ、またはタブレットコンピュータなど電子デバイスを含む。装置１は詳細には、受信ユニット１０、第１抽出ユニット２０、および第１処理ユニット３０を含む。
【００６０】
受信ユニット１０は、ユーザの音声命令が受信されたときに、音声命令を識別し、音声命令からウェークアップ指示情報を抽出するよう構成される。
【００６１】
詳細には、ユーザの音声命令は、ウェークアップ指示情報および処理指示情報を含む。ここでウェークアップ指示情報は、スクリーンロック状態にある端末をウェークアップするために用いられ、処理指示情報は、特定の動作を実行するよう端末に命令するために用いられる。
【００６２】
ユーザの音声命令を識別するとは、ユーザの音声命令に含まれるウェークアップ指示情報を抽出するべく、ユーザの音声命令が、例えば、「やあ」または「こんにちは」など事前設定されたウェークアップワードである事前設定されたウェークアップワードを含むか否かを検出することである。
【００６３】
第１抽出ユニット２０は、抽出によりウェークアップ指示情報が得られた場合に、音声命令の音声照合を実行するよう構成される。
【００６４】
詳細には、音声命令の音声照合を実行するとは、照合をパスしたユーザだけが端末を利用出来るように、およびさらに端末の音声操作を実行出来るように、音声命令を発したユーザが事前設定されたユーザであるか否かを判断すべく音声命令の音声の声紋認識を実行することであり、これにより、端末のセキュリティ性能が向上させられる。
【００６５】
第１処理ユニット３０は、音声照合が成功した後に、音声命令から処理指示情報を抽出し、処理指示情報に従ってユーザの音声命令に応答するよう構成される。
【００６６】
第１処理ユニット３０は、変換モジュール３１と応答モジュール３２とを含む。
【００６７】
変換モジュール３１は、ウェークアップ指示情報を音声命令から取り除き、音声命令の処理プロンプト情報を抽出し、処理指示情報をテキストに変換するよう構成される。
【００６８】
応答モジュール３２は、テキストに従って処理プロンプト情報の意味を識別し、得られた意味に従って応答を行うよう構成される。
【００６９】
詳細には、音声照合が成功した後に、音声命令からウェークアップ指示情報が取り除かれ、音声命令の処理プロンプト情報が抽出され、処理指示情報がテキストに変換され、処理プロンプト情報の意味がテキストに従って識別され、得られた意味に従って応答が行われる。
【００７０】
本願発明の本実施形態で提供される端末音声制御方法によると、ユーザは、複数回の音声インタラクションを要することなく、複数のタスクを完了するよう端末を制御するために１つの音声命令を用いればよく、これにより利用が簡単になる。
【００７１】
図５は、本願発明の第５実施形態に係る端末音声制御装置の概略構造図である。本願発明の本実施形態で説明される端末は、携帯電話、ＰＤＡ、またはタブレットコンピュータなど電子デバイスを含む。装置２は、図４の装置１を最適化したものである。装置２の第１処理ユニット３０は、第１実行モジュール３３と第２実行モジュール３４とを含む。
【００７２】
第１実行モジュール３３は、音声照合が成功した後に、端末がスクリーンロック状態にあることを検出した場合に、端末スクリーンを明るくし、端末スクリーンをアンロックし、音声命令から処理指示情報を抽出し、処理指示情報に従ってユーザの音声命令に応答するよう構成される。
【００７３】
第２実行モジュール３４は、音声照合が成功した後に、端末がスクリーンロック状態にないことを検出した場合に、音声命令から処理指示情報を抽出し、処理指示情報に従ってユーザの音声命令に応答するよう構成される。
【００７４】
詳細には、端末がスクリーンロック状態にあることを検出された場合、端末スクリーンを明るくし、端末スクリーンをアンロックする段階が実行される必要があり、端末がスクリーンロック状態にない場合、端末スクリーンを明るくし、端末スクリーンをアンロックする段階が実行される必要がない。
【００７５】
加えて、音声命令の音声照合を実行するとは、声紋認識方法を用いて、音声命令を発したユーザが事前設定されたユーザであるか否かを照合することであり、これにより端末のセキュリティが向上させられる。
【００７６】
本願発明の本実施形態で提供される端末音声制御方法によると、ユーザは、複数回の音声インタラクションを要することなく、複数のタスクを完了するよう端末を制御するために１つの音声命令を用いればよく、これにより利用が簡単になる。
【００７７】
図６は、本願発明の第６実施形態に係る端末音声制御装置の概略構造図である。本願発明の本実施形態で説明される端末は、携帯電話、ＰＤＡ、またはタブレットコンピュータなど電子デバイスを含む。装置３は、図４の装置１を最適化したものである。装置３はさらに、第２抽出ユニット４０と第２処理ユニット５０とを含む。
【００７８】
第２抽出ユニット４０は、抽出によりウェークアップ指示情報が得られない場合に、ユーザの音声命令の受信を継続して待機するよう構成される。
【００７９】
第２処理ユニット５０は、音声照合が失敗したときに再照合を促し、照合回数が閾値を超えても照合がまだ失敗である場合に、ユーザの音声命令の受信を停止するよう構成される。
【００８０】
詳細には、音声照合回数が設定済閾値を超えても照合がまだ失敗である場合に、ユーザの音声命令の受信が停止され、ユーザは、手動でしか端末スクリーンを起動出来なく、これにより、端末の利用のセキュリティが確保される。
【００８１】
本願発明の本実施形態で提供される端末音声制御方法によると、ユーザは、複数回の音声インタラクションを要することなく、複数のタスクを完了するよう端末を制御するために１つの音声命令を用いればよく、利用が簡単であり、高セキュリティ性能である。
【００８２】
図７は、本願発明の第７実施形態に係る端末の概略構造図である。本願発明の本実施形態で説明される端末は、携帯電話、ＰＤＡ、またはタブレットコンピュータなど電子デバイスを含む。端末４は詳細には、オーディオモニタリングユニット６０とプロセッサ７０とを含む。
【００８３】
オーディオモニタリングユニット６０は、ユーザにより発せられた音声命令を捉えるよう構成される。
【００８４】
プロセッサ７０は、ユーザの音声命令が受信されたときに、音声命令を識別し、音声命令からウェークアップ指示情報を抽出し、抽出によりウェークアップ指示情報が得られた場合に、音声命令の音声照合を実行し、音声照合が成功した後に、音声命令から処理指示情報を抽出し、処理指示情報に従ってユーザの音声命令に応答するよう構成される。
【００８５】
詳細には、ユーザの音声命令を識別するとは、ユーザの音声命令に含まれるウェークアップ指示情報を抽出するべく、ユーザの音声命令が、例えば、「やあ」または「こんにちは」などユーザにより事前設定されたワードである事前設定されたウェークアップワードを含むか否かを検出することである。
【００８６】
音声命令の音声照合を実行するとは、照合をパスしたユーザだけが端末を利用出来るように、およびさらに端末の音声操作を実行出来るように、音声命令を発したユーザが事前設定されたユーザであるか否かを判断すべく音声命令の音声の声紋認識を実行することであり、これにより、端末のセキュリティ性能が向上させられる。
【００８７】
音声照合が成功した後に、音声命令からウェークアップ指示情報が取り除かれ、音声命令の処理プロンプト情報が抽出され、処理指示情報がテキストに変換され、処理プロンプト情報の意味がテキストに従って識別され、得られた意味に従って応答が行われる。
【００８８】
確かに、本願発明の本実施形態の例示的な実施法において、オーディオモニタリングユニット６０はマイクであり得る。
【００８９】
本願発明の本実施形態で提供される端末音声制御方法によると、ユーザは、複数回の音声インタラクションを要することなく、複数のタスクを完了するよう端末を制御するために１つの音声命令を用いればよく、利用が簡単であり、高セキュリティ性能である。
【００９０】
第１抽出ユニットおよび第２抽出ユニット、第１処理ユニットおよび第２処理ユニット、並びに第１実行モジュールおよび第２実行モジュールは、順序関係または数量単位を示唆するものではなく、異なる複数のモジュールまたは複数のユニットを区別するよう意図されていることが理解されるべきである。
【００９１】
当業者は、本願発明の様々な複数の態様、または様々な複数の態様の複数の可能な実施例がシステム、方法、またはコンピュータプログラムプロダクトにおいて詳細に実施され得ることを理解し得る。さらに、本願発明の様々な複数の態様、または様々な複数の態様の複数の可能な実施例は、コンピュータプログラムプロダクトの形態であり得、ここでコンピュータプログラムプロダクトとは、コンピュータ可読媒体に格納されるコンピュータ可読プログラムコードを指す。
【００９２】
コンピュータ可読媒体は、コンピュータ可読信号媒体またはコンピュータ可読記憶媒体であり得る。コンピュータ可読記憶媒体は、電子、磁気、光、電磁気、赤外線、または半導体システム、デバイス、または装置、若しくはこれらの何らかの適した組み合わせ、例えば、ランダムアクセスメモリ（ＲＡＭ）、読み取り専用メモリ（ＲＯＭ）、消去可能プログラム可能読み取り専用メモリ（ＥＰＲＯＭまたはＦＬＡＳＨ）、光ファイバ、コンパクトディスク読み取り専用メモリ（ＣＤ−ＲＯＭ）を含むが、これらに限定されない。
【００９３】
コンピュータのプロセッサは、複数のフローチャートの各段階における、若しくは、複数の段階からなる組み合わせにおける特定の機能および動作がプロセッサにより実行され、複数のブロック図の各ブロックまたは複数のブロックからなる組み合わせにおける特定の機能および動作を実施するための装置を生成するよう、コンピュータ可読媒体に格納されるコンピュータ可読プログラムコードを読み取る。
【００９４】
コンピュータ可読プログラムコードは、全てがユーザコンピュータ単体で実行され得、または、その一部が、スタンドアロン型ソフトウェアパッケージとしてユーザコンピュータで実行され得、または、その一部が、その他の一部が遠隔コンピュータで実行される間にローカルコンピュータで実行され得、または全てが遠隔コンピュータまたはサーバで実行され得る。いくつかの代替的な実施解決法において、複数のフローチャートの各段階、または複数のブロック図の各ブロックにおける複数の特定の機能は、例示された順序で起こらないかもしれないことにも留意されるべきである。例えば、関与する機能に依存する、例示における２つの連続した段階、または２つのブロックが実際には実質的に同時に実行され得、これらのブロックは場合によっては反対の順序で実行され得る。
【００９５】
当業者が、本願発明の思想および態様から逸脱することなく本願発明の様々な複数の変形および変更を行いうることが明らかである。本願発明は、以下の複数の請求項またはそれらの複数の同等の技術により定義される保護範囲に含まれるという条件で、これらの複数の変形および複数の変更を網羅するよう意図されている。
【図１】
2016502829.tif 000003
【図２】
2016502829.tif 000004
【図３】
2016502829.tif 000005
【図４】
2016502829.tif 000006
【図５】
2016502829.tif 000007
【図６】
2016502829.tif 000008
【図７】
2016502829.tif 000009
【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
ユーザの音声命令が受信されたときに、前記音声命令を識別し、前記音声命令からウェークアップ指示情報を抽出する段階と、
抽出により前記ウェークアップ指示情報が得られた場合に、前記音声命令の音声照合を実行する段階と、
前記音声照合が成功した後に、前記音声命令から処理指示情報を抽出し、前記処理指示情報に従って前記ユーザの前記音声命令に応答する段階と
を備える、端末音声制御方法。
【請求項２】
前記音声照合が成功した後に、前記音声命令から前記処理指示情報を抽出し、前記処理指示情報に従って前記ユーザの前記音声命令に応答する段階は、
前記音声照合が成功した後に、端末がスクリーンロック状態にあることを検出した場合に、端末スクリーンを明るくし、前記端末スクリーンをアンロックし、前記音声命令から前記処理指示情報を抽出し、前記処理指示情報に従って前記ユーザの前記音声命令に応答する段階と、
前記音声照合が成功した後に、前記端末がスクリーンロック状態にないことを検出した場合に、前記音声命令から前記処理指示情報を抽出し、前記処理指示情報に従って前記ユーザの前記音声命令に応答する段階と
を有する、請求項１に記載の端末音声制御方法。
【請求項３】
抽出によりウェークアップ指示情報が得られない場合に、前記ユーザの音声命令の受信を継続して待機する段階をさらに備える、請求項１または２に記載の端末音声制御方法。
【請求項４】
前記音声照合が失敗したときに再照合を促し、照合回数が閾値を超えても前記照合がまだ失敗である場合に、前記ユーザの音声命令の受信を停止する段階をさらに備える、請求項１から３のいずれか一項に記載の端末音声制御方法。
【請求項５】
前記音声照合が成功した後に、前記音声命令から前記処理指示情報を抽出し、前記処理指示情報に従って前記ユーザの前記音声命令に応答する段階は、
前記ウェークアップ指示情報が前記音声命令から取り除かれた後に前記音声命令の前記処理指示情報を抽出し、前記処理指示情報をテキストに変換する段階と、
前記テキストに従って前記処理指示情報の意味を識別し、得られた前記意味に従って応答を行う段階と
を有する、請求項１から４のいずれか一項に記載の端末音声制御方法。
【請求項６】
請求項１から５のいずれか一項に記載の方法をコンピュータに実行させるプログラム。
【請求項７】
ユーザの音声命令が受信されたときに、前記音声命令を識別し、前記音声命令からウェークアップ指示情報を抽出する受信ユニットと、
抽出により前記ウェークアップ指示情報が得られた場合に、前記音声命令の音声照合を実行する第１抽出ユニットと、
前記音声照合が成功した後に、前記音声命令から処理指示情報を抽出し、前記処理指示情報に従って前記ユーザの前記音声命令に応答する第１処理ユニット段階と
を備える、端末音声制御装置。
【請求項８】
前記第１処理ユニットは、
前記音声照合が成功した後に、端末がスクリーンロック状態にあることを検出した場合に、端末スクリーンを明るくし、前記端末スクリーンをアンロックし、前記音声命令から前記処理指示情報を抽出し、前記処理指示情報に従って前記ユーザの前記音声命令に応答する第１実行モジュールと、
前記音声照合が成功した後に、前記端末がスクリーンロック状態にないことを検出した場合に、前記音声命令から前記処理指示情報を抽出し、前記処理指示情報に従って前記ユーザの前記音声命令に応答する第２実行モジュールと
を有する、請求項７に記載の端末音声制御装置。
【請求項９】
抽出によりウェークアップ指示情報が得られない場合に、前記ユーザの音声命令の受信を継続して待機する第２抽出ユニットをさらに備える、請求項７または８に記載の端末音声制御装置。
【請求項１０】
前記音声照合が失敗したときに再照合を促し、照合回数が閾値を超えても前記照合がまだ失敗である場合に、前記ユーザの音声命令の受信を停止する第２処理ユニットをさらに備える、請求項７から９のいずれか一項に記載の端末音声制御装置。
【請求項１１】
前記第１処理ユニットは、
前記ウェークアップ指示情報が前記音声命令から取り除かれた後に前記音声命令の前記処理指示情報を抽出し、前記処理指示情報をテキストに変換する変換モジュールと、
前記テキストに従って前記処理指示情報の意味を識別し、得られた前記意味に従って応答を行う応答モジュールと
を有する、請求項７から１０のいずれか一項に記載の端末音声制御装置。
【請求項１２】
オーディオモニタリングユニットと、
プロセッサと
を備え、
前記オーディオモニタリングユニットは、ユーザにより発せられた音声命令を捉え、
前記プロセッサは、
前記ユーザの前記音声命令が受信されたときに、前記音声命令を識別し、前記音声命令からウェークアップ指示情報を抽出し、
抽出により前記ウェークアップ指示情報が得られた場合に、前記音声命令の音声照合を実行し、
前記音声照合が成功した後に、前記音声命令から処理指示情報を抽出し、前記処理指示情報に従って前記ユーザの前記音声命令に応答する、端末。
【手続補正２】
【補正対象書類名】明細書
【補正対象項目名】全文
【補正方法】変更
【補正の内容】
【発明の詳細な説明】
【技術分野】
【０００１】
本願は、発明の名称が「ＴＥＲＭＩＮＡＬ  ＶＯＩＣＥ  ＣＯＮＴＲＯＬ  ＭＥＴＨＯＤ  ＡＮＤ  ＡＰＰＡＲＥＴＵＳ，  ＡＮＤ  ＴＥＲＭＩＮＡＬ」であり、中国特許庁に２０１３年１１月１５日に提出された中国特許出願第ＣＮ  ２０１３１０５７４７６２．８号の優先権を主張する。同特許出願はその全体が本明細書において参照により組み込まれる。
【０００２】
本願発明は、端末技術の分野に関し、特に、端末音声制御方法および装置、並びに端末に関する。
【背景技術】
【０００３】
科学および技術の発展と共に、スマートフォンは人々の生活において必需品となってきた。ユーザによる、スマートフォンの操作の実行を促すために、殆どのスマートフォンは現在、音声制御機能を有している。ユーザは携帯電話に対して音声命令を発することが出来、携帯電話は音声命令に対して応答を行う。しかし従来技術において、先述した解決法は、複数回、複数の異なる音声エンジンを別々に呼び出すことにより実装される。例えば、ユーザが所有者であるか否かをまず識別するために音声ウェークアップエンジンおよび声紋認識エンジンが用いられ、その後携帯電話がウェークアップさせられ、携帯電話はその後、ユーザの要求について問い合わせを行い、段階を追って複数の質問に答えるようユーザに指示する。ユーザが複数の質問に答えた後、携帯電話は、ユーザが複数の質問に答えたときにユーザにより発せられた音声命令を識別し、識別結果に従ってユーザの音声命令を実行する。
【０００４】
先述の音声制御法の欠点は、複数の音声命令が連続せず、ユーザに、段階を追って問い合わせ、複数の質問に答えるよう指示する必要があることとなり、次の段階は、ユーザが複数の質問に答え終えた後に開始され、各段階を実行するプロセスが煩わしくなり、ユーザにとって、携帯電話の音声制御機能を利用することが非常に不便になるということである。携帯電話が待機しているとき、携帯電話に対して命令を直接発することが出来ない。携帯電話の更なる操作が実行出来るようになる前に、携帯電話はウェークアップさせられる必要がある。
【発明の概要】
【０００５】
本願発明の複数の実施形態で提供される端末音声制御方法によると、複数のタスクを完了するよう端末を制御するために１つの音声命令が用いられ得る。
【０００６】
第１態様によると、本願発明の実施形態は、ユーザの音声命令が受信されたときに、上記音声命令を識別し、上記音声命令からウェークアップ指示情報を抽出する段階と、抽出により上記ウェークアップ指示情報が得られた場合に、上記音声命令の音声照合を実行する段階と、上記音声照合が成功した後に、上記音声命令から処理指示情報を抽出し、上記処理指示情報に従って上記ユーザの上記音声命令に応答する段階とを備える、端末音声制御方法を提供する。
【０００７】
第１態様を参照すると、第１態様の第１の可能な実施法において、上記音声照合が成功した後に、上記音声命令から上記処理指示情報を抽出し、上記処理指示情報に従って上記ユーザの上記音声命令に応答する段階は、上記音声照合が成功した後に、端末がスクリーンロック状態にあることを検出した場合に、端末スクリーンを明るくし、上記端末スクリーンをアンロックし、上記音声命令から上記処理指示情報を抽出し、上記処理指示情報に従って上記ユーザの上記音声命令に応答する段階と、上記音声照合が成功した後に、上記端末がスクリーンロック状態にないことを検出した場合に、上記音声命令から上記処理指示情報を抽出し、上記処理指示情報に従って上記ユーザの上記音声命令に応答する段階とを有する。
【０００８】
第１態様を参照すると、第１態様の第２の可能な実施法において、方法は、抽出によりウェークアップ指示情報が得られない場合に、上記ユーザの音声命令の受信を継続して待機する段階をさらに備える。
【０００９】
第１態様を参照すると、第１態様の第３の可能な実施法において、方法は、上記音声照合が失敗した場合に再照合を促し、照合回数が閾値を超えても上記照合がまだ失敗である場合に、上記ユーザの音声命令の受信を停止する段階をさらに備える。
【００１０】
第１態様を参照すると、第１態様の第４の可能な実施法において、上記音声照合が成功した後に、上記音声命令から上記処理指示情報を抽出し、上記処理指示情報に従って上記ユーザの上記音声命令に応答する段階は、上記ウェークアップ指示情報が上記音声命令から取り除かれた後に、上記音声命令の上記処理指示情報を抽出し、上記処理指示情報をテキストに変換する段階と、上記テキストに従って上記処理指示情報の意味を識別し、得られた上記意味に従って応答を行う段階とを有する。
【００１１】
第２態様によると、本願発明の実施形態は、ユーザの音声命令が受信されたときに、上記音声命令を識別し、上記音声命令からウェークアップ指示情報を抽出するよう構成された受信ユニットと、抽出により上記ウェークアップ指示情報が得られた場合に、上記音声命令の音声照合を実行するよう構成された第１抽出ユニットと、上記音声照合が成功した後に、上記音声命令に含まれる処理指示情報を抽出し、上記処理指示情報に従って上記ユーザの上記音声命令に応答するよう構成された第１処理ユニット段階とを備える、端末音声制御装置を提供する。
【００１２】
第２態様を参照すると、第２態様の第１の可能な実施法において、上記第１処理ユニットは、上記音声照合が成功した後に、端末がスクリーンロック状態にあることを検出した場合に、端末スクリーンを明るくし、上記端末スクリーンをアンロックし、上記音声命令から上記処理指示情報を抽出し、上記処理指示情報に従って上記ユーザの上記音声命令に応答するよう構成された第１実行モジュールと、上記音声照合が成功した後に、上記端末がスクリーンロック状態にないことを検出した場合に、上記音声命令から上記処理指示情報を抽出し、上記処理指示情報に従って上記ユーザの上記音声命令に応答するよう構成された第２実行モジュールとを有する。
【００１３】
第２態様を参照すると、第２態様の第２の可能な実施法において、装置は、抽出によりウェークアップ指示情報が得られない場合に、上記ユーザの音声命令の受信を継続して待機するよう構成された第２抽出ユニットをさらに備える。
【００１４】
第２態様を参照すると、第２態様の第３の可能な実施法において、装置は、上記音声照合が失敗したときに再照合を促し、照合回数が閾値を超えても上記照合がまだ失敗である場合に、上記ユーザの音声命令の受信を停止するよう構成された第２処理ユニットをさらに備える。
【００１５】
第２態様を参照すると、第２態様の第４の可能な実施法において、上記第１処理ユニットは、上記ウェークアップ指示情報が上記音声命令から取り除かれた後に上記音声命令の上記処理指示情報を抽出し、上記処理指示情報をテキストに変換するよう構成された変換モジュールと、上記テキストに従って上記処理指示情報の意味を識別し、得られた上記意味に従って応答を行うよう構成された応答モジュールとを有する。
【００１６】
第３態様によると、本願発明の実施形態は、オーディオモニタリングユニットと、プロセッサとを備え、上記オーディオモニタリングユニットは、ユーザにより発せられた音声命令を捉えるよう構成され、上記プロセッサは、上記ユーザの上記音声命令が受信されたときに、上記音声命令を識別し、上記音声命令からウェークアップ指示情報を抽出し、抽出により上記ウェークアップ指示情報が得られた場合に、上記音声命令の音声照合を実行し、上記音声照合が成功した後に、上記音声命令から処理指示情報を抽出し、上記処理指示情報に従って上記ユーザの上記音声命令に応答するよう構成された、端末をさらに提供する。
【００１７】
本願発明の複数の実施形態における端末音声制御方法によると、ユーザは、複数回の音声インタラクションを要することなく、複数のタスクを完了するよう端末を制御するために１つの音声命令を用いればよく、同方法は利用が簡単であり、高セキュリティ性能をもたらす。
【図面の簡単な説明】
【００１８】
本願発明の複数の実施形態、または、従来技術の複数の技術的解決をより明らかに説明するべく、以下において簡単に、複数の実施形態または従来技術を説明するために必要である複数の添付の図面を紹介する。一見したところ、以下の説明において添付の図面は、本願発明のいくつかの実施形態を示し、当業者はさらに、創造努力を用いることなくこれらの添付の図面から他の複数の図面を導き出し得るようである。
【００１９】
【図１】本願発明の第１実施形態に係る端末音声制御方法のフローチャートである。
【００２０】
【図２】本願発明の第２実施形態に係る端末音声制御方法のフローチャートである。
【００２１】
【図３】本願発明の第３実施形態に係る端末音声制御方法のフローチャートである。
【００２２】
【図４】本願発明の第４実施形態に係る端末音声制御装置の概略構造図である。
【００２３】
【図５】本願発明の第５実施形態に係る端末音声制御装置の概略構造図である。
【００２４】
【図６】本願発明の第６実施形態に係る端末音声制御装置の概略構造図である。
【００２５】
【図７】本願発明の第７実施形態に係る端末の概略構造図である。
【発明を実施するための形態】
【００２６】
以下において、本願発明の複数の実施形態における添付の複数の図面を参照し、本願発明の複数の実施形態における複数の技術的解決を明らかに、かつ完全に説明する。一見したところ、説明される複数の実施形態は、本願発明の複数の実施形態のうち全てではなく、一部であるようである。本願発明の複数の実施形態に基づいて、当業者によって創造努力を用いずとも得られる他の全ての複数の実施形態は、本願発明の権利保護範囲に含まれる。
【００２７】
図１は、本願発明の第１実施形態に係る端末音声制御方法のフローチャートである。本願発明の本実施形態で説明される端末は、携帯電話、ＰＤＡ、またはタブレットコンピュータなど電子デバイスを含む。方法は詳細には以下のことを含む。
【００２８】
Ｓ１０１。ユーザの音声命令が受信されたときに、音声命令を識別し、音声命令からウェークアップ指示情報を抽出する。
【００２９】
詳細には、ユーザの音声命令は、ウェークアップ指示情報および処理指示情報を含む。ここでウェークアップ指示情報は、スクリーンロック状態にある端末をウェークアップするために用いられ、処理指示情報は、特定の動作を実行するよう端末に命令するために用いられる。
【００３０】
ユーザの音声命令を識別するとは、ユーザの音声命令に含まれるウェークアップ指示情報を抽出するべく、ユーザの音声命令が、例えば、「やあ」または「こんにちは」などユーザにより事前設定されたワードである事前設定されたウェークアップワードを含むか否かを検出することである。
【００３１】
Ｓ１０２。抽出によりウェークアップ指示情報が得られた場合に、音声命令の音声照合を実行する。
【００３２】
詳細には、音声命令の音声照合を実行するとは、照合をパスしたユーザだけが端末を利用出来るように、およびさらに端末の音声操作を実行出来るように、音声命令を発したユーザが事前設定されたユーザであるか否かを判断すべく音声命令の音声の声紋認識を実行することであり、これにより、端末のセキュリティ性能が向上させられる。
【００３３】
声紋認識（Ｖｏｉｃｅｐｒｉｎｔ  Ｒｅｃｏｇｎｉｔｉｏｎ）とは、話者認識とも呼ばれ、これは、音声のあるセグメントを発する人の音声特徴に従って識別することを指すことを理解されるべきである。概して、声紋認識は２つの側面を含む。それらは、話者識別と話者判断であり、前者は数人のうち誰が音声のあるセグメントを発したのかを判断することであり、後者は、音声のあるセグメントが特定の人によって発せられたか否かを判断することである。本願発明の実施形態における声紋認識法は話者判断であり、つまり、音声のあるセグメントが、特定の事前設定された人によって発せられたか否かを識別する必要がある。
【００３４】
Ｓ１０３。音声照合が成功した後に、音声命令から処理指示情報を抽出し、処理指示情報に従ってユーザの音声命令に応答する。
【００３５】
詳細には、音声照合が成功した後に、音声命令からウェークアップ指示情報が取り除かれ、音声命令の処理指示情報が抽出され、処理指示情報がテキストに変換され、処理指示情報の意味がテキストに従って識別され、得られた意味に従って応答が行われる。
【００３６】
本願発明の本実施形態で提供される端末音声制御方法によると、ユーザは、複数回の音声インタラクションを要することなく、複数のタスクを完了するよう端末を制御するために１つの音声命令を用いればよく、これにより利用が簡単になる。
【００３７】
図２は、本願発明の第２実施形態に係る端末音声制御方法のフローチャートである。本願発明の本実施形態で説明される端末は、携帯電話、ＰＤＡ、またはタブレットコンピュータなど電子デバイスを含む。方法は詳細には、以下のことを含む。
【００３８】
Ｓ２０１。ユーザの音声命令が受信されたときに、音声命令を識別する。
【００３９】
詳細には、ユーザの音声命令を識別するとは、ユーザの音声命令からウェークアップ指示情報を抽出するべく、ユーザの音声命令が、例えば、「やあ」または「こんにちは」など事前設定されたワードである事前設定されたウェークアップワードを含むか否かを検出することである。
【００４０】
Ｓ２０２。抽出によりウェークアップ指示情報が得られた場合に、音声命令の音声照合を実行する。
【００４１】
詳細には、音声命令の音声照合を実行するとは、照合をパスしたユーザだけが端末を利用出来るように、およびさらに端末の音声操作を実行出来るように、音声命令を発したユーザが事前設定されたユーザであるか否かを判断すべく音声命令の音声の声紋認識を実行することであり、これにより、端末のセキュリティ性能が向上させられる。
【００４２】
Ｓ２０３。音声照合が成功した後に、端末がスクリーンロック状態にあることを検出した場合に、端末スクリーンを明るくし、端末スクリーンをアンロックし、音声命令から処理指示情報を抽出し、処理指示情報に従ってユーザの音声命令に応答する。
【００４３】
Ｓ２０４。音声照合が成功した後に、端末がスクリーンロック状態にないことを検出した場合に、音声命令から処理指示情報を抽出し、処理指示情報に従ってユーザの音声命令に応答する。
【００４４】
詳細には、端末がスクリーンロック状態にあることを検出した場合に、スクリーンロック状態にある端末は、まず音声命令のウェークアップ指示情報に従ってウェークアップされる必要があり、その後、他の段階が実行される。端末がスクリーンロック状態にない場合に、端末スクリーンを明るくする、または、端末スクリーンをアンロックする段階は実行される必要がなく、次の段階が直接実行される。
【００４５】
本願発明の本実施形態で提供される端末音声制御方法によると、ユーザは、複数回の音声インタラクションを要することなく、複数のタスクを完了するよう端末を制御するために１つの音声命令を用いればよく、これにより利用が簡単になる。
【００４６】
図３は、本願発明の第３実施形態に係る端末音声制御方法のフローチャートである。本願発明の本実施形態で説明される端末は、携帯電話、ＰＤＡ、またはタブレットコンピュータなど電子デバイスを含む。方法は詳細には以下のことを含む。
【００４７】
Ｓ３０１。ユーザの音声命令が受信されたときに、音声命令を識別し、音声命令からウェークアップ指示情報を抽出する。
【００４８】
詳細には、ユーザの音声命令は、ウェークアップ指示情報および処理指示情報を含む。ここでウェークアップ指示情報は、スクリーンロック状態にある端末をウェークアップするために用いられ、処理指示情報は、特定の動作を実行するよう端末に命令するために用いられる。
【００４９】
ユーザの音声命令を識別するとは、ユーザの音声命令に含まれるウェークアップ指示情報を抽出するべく、ユーザの音声命令が、例えば、「やあ」または「こんにちは」など事前設定されたワードである事前設定されたウェークアップワードを含むか否かを検出することである。
【００５０】
Ｓ３０２。抽出によりウェークアップ指示情報が得られた場合に、音声命令の音声照合を実行する。
【００５１】
詳細には、音声命令の音声照合を実行するとは、照合をパスしたユーザだけが端末を利用出来るように、およびさらに端末の音声操作を実行出来るように、音声命令を発したユーザが事前設定されたユーザであるか否かを判断すべく音声命令の音声の声紋認識を実行することであり、これにより、端末のセキュリティ性能が向上させられる。
【００５２】
Ｓ３０３。抽出によりウェークアップ指示情報が得られない場合に、ユーザの音声命令の受信を継続して待機する。
【００５３】
詳細には、抽出によりウェークアップ指示情報が得られない場合、端末は何ら処理を実行せず、ユーザの音声命令の受信を継続して待機する。
【００５４】
Ｓ３０４。音声照合が成功した後に、音声命令から処理指示情報を抽出し、処理指示情報に従ってユーザの音声命令に応答する。
【００５５】
詳細には、音声照合が成功した後に、音声命令からウェークアップ指示情報が取り除かれ、音声命令の処理指示情報が抽出され、処理指示情報がテキストに変換され、処理指示情報の意味がテキストに従って識別され、得られた意味に従って応答が行われる。
【００５６】
Ｓ３０５。音声照合が失敗した場合に再照合を促し、照合回数が閾値を超えても照合がまだ失敗である場合に、ユーザの音声命令の受信を停止する。
【００５７】
詳細には、照合回数が設定済閾値を超えても照合がまだ失敗である場合に、ユーザの音声命令の受信が停止され、ユーザは、手動でしか端末スクリーンを起動出来なく、これにより、端末の利用のセキュリティが確保される。
【００５８】
本願発明の本実施形態で提供される端末音声制御方法によると、ユーザは、複数回の音声インタラクションを要することなく、複数のタスクを完了するよう端末を制御するために１つの音声命令を用いればよく、同方法は利用が簡単であり、高セキュリティ性能をもたらす。
【００５９】
図４は、本願発明の第４実施形態に係る端末音声制御装置の概略構造図である。本願発明の本実施形態で説明される端末は、携帯電話、ＰＤＡ、またはタブレットコンピュータなど電子デバイスを含む。装置１は詳細には、受信ユニット１０、第１抽出ユニット２０、および第１処理ユニット３０を含む。
【００６０】
受信ユニット１０は、ユーザの音声命令が受信されたときに、音声命令を識別し、音声命令からウェークアップ指示情報を抽出するよう構成される。
【００６１】
詳細には、ユーザの音声命令は、ウェークアップ指示情報および処理指示情報を含む。ここでウェークアップ指示情報は、スクリーンロック状態にある端末をウェークアップするために用いられ、処理指示情報は、特定の動作を実行するよう端末に命令するために用いられる。
【００６２】
ユーザの音声命令を識別するとは、ユーザの音声命令に含まれるウェークアップ指示情報を抽出するべく、ユーザの音声命令が、例えば、「やあ」または「こんにちは」など事前設定されたウェークアップワードである事前設定されたウェークアップワードを含むか否かを検出することである。
【００６３】
第１抽出ユニット２０は、抽出によりウェークアップ指示情報が得られた場合に、音声命令の音声照合を実行するよう構成される。
【００６４】
詳細には、音声命令の音声照合を実行するとは、照合をパスしたユーザだけが端末を利用出来るように、およびさらに端末の音声操作を実行出来るように、音声命令を発したユーザが事前設定されたユーザであるか否かを判断すべく音声命令の音声の声紋認識を実行することであり、これにより、端末のセキュリティ性能が向上させられる。
【００６５】
第１処理ユニット３０は、音声照合が成功した後に、音声命令から処理指示情報を抽出し、処理指示情報に従ってユーザの音声命令に応答するよう構成される。
【００６６】
第１処理ユニット３０は、変換モジュール３１と応答モジュール３２とを含む。
【００６７】
変換モジュール３１は、ウェークアップ指示情報を音声命令から取り除き、音声命令の処理指示情報を抽出し、処理指示情報をテキストに変換するよう構成される。
【００６８】
応答モジュール３２は、テキストに従って処理指示情報の意味を識別し、得られた意味に従って応答を行うよう構成される。
【００６９】
詳細には、音声照合が成功した後に、音声命令からウェークアップ指示情報が取り除かれ、音声命令の処理指示情報が抽出され、処理指示情報がテキストに変換され、処理指示情報の意味がテキストに従って識別され、得られた意味に従って応答が行われる。
【００７０】
本願発明の本実施形態で提供される端末音声制御装置によると、ユーザは、複数回の音声インタラクションを要することなく、複数のタスクを完了するよう端末を制御するために１つの音声命令を用いればよく、これにより利用が簡単になる。
【００７１】
図５は、本願発明の第５実施形態に係る端末音声制御装置の概略構造図である。本願発明の本実施形態で説明される端末は、携帯電話、ＰＤＡ、またはタブレットコンピュータなど電子デバイスを含む。装置２は、図４の装置１を最適化したものである。装置２の第１処理ユニット３０は、第１実行モジュール３３と第２実行モジュール３４とを含む。
【００７２】
第１実行モジュール３３は、音声照合が成功した後に、端末がスクリーンロック状態にあることを検出した場合に、端末スクリーンを明るくし、端末スクリーンをアンロックし、音声命令から処理指示情報を抽出し、処理指示情報に従ってユーザの音声命令に応答するよう構成される。
【００７３】
第２実行モジュール３４は、音声照合が成功した後に、端末がスクリーンロック状態にないことを検出した場合に、音声命令から処理指示情報を抽出し、処理指示情報に従ってユーザの音声命令に応答するよう構成される。
【００７４】
詳細には、端末がスクリーンロック状態にあることを検出された場合、端末スクリーンを明るくし、端末スクリーンをアンロックする段階が実行される必要があり、端末がスクリーンロック状態にない場合、端末スクリーンを明るくし、端末スクリーンをアンロックする段階が実行される必要がない。
【００７５】
加えて、音声命令の音声照合を実行するとは、声紋認識方法を用いて、音声命令を発したユーザが事前設定されたユーザであるか否かをチェックすることであり、これにより端末のセキュリティが向上させられる。
【００７６】
本願発明の本実施形態で提供される端末音声制御装置によると、ユーザは、複数回の音声インタラクションを要することなく、複数のタスクを完了するよう端末を制御するために１つの音声命令を用いればよく、これにより利用が簡単になる。
【００７７】
図６は、本願発明の第６実施形態に係る端末音声制御装置の概略構造図である。本願発明の本実施形態で説明される端末は、携帯電話、ＰＤＡ、またはタブレットコンピュータなど電子デバイスを含む。装置３は、図４の装置１を最適化したものである。装置３はさらに、第２抽出ユニット４０と第２処理ユニット５０とを含む。
【００７８】
第２抽出ユニット４０は、抽出によりウェークアップ指示情報が得られない場合に、ユーザの音声命令の受信を継続して待機するよう構成される。
【００７９】
第２処理ユニット５０は、音声照合が失敗したときに再照合を促し、照合回数が閾値を超えても照合がまだ失敗である場合に、ユーザの音声命令の受信を停止するよう構成される。
【００８０】
詳細には、音声照合回数が設定済閾値を超えても照合がまだ失敗である場合に、ユーザの音声命令の受信が停止され、ユーザは、手動でしか端末スクリーンを起動出来なく、これにより、端末の利用のセキュリティが確保される。
【００８１】
本願発明の本実施形態で提供される端末音声制御装置によると、ユーザは、複数回の音声インタラクションを要することなく、複数のタスクを完了するよう端末を制御するために１つの音声命令を用いればよく、同方法は利用が簡単であり、高セキュリティ性能をもたらす。
【００８２】
図７は、本願発明の第７実施形態に係る端末の概略構造図である。本願発明の本実施形態で説明される端末は、携帯電話、ＰＤＡ、またはタブレットコンピュータなど電子デバイスを含む。端末４は詳細には、オーディオモニタリングユニット６０とプロセッサ７０とを含む。
【００８３】
オーディオモニタリングユニット６０は、ユーザにより発せられた音声命令を捉えるよう構成される。
【００８４】
プロセッサ７０は、ユーザの音声命令が受信されたときに、音声命令を識別し、音声命令からウェークアップ指示情報を抽出し、抽出によりウェークアップ指示情報が得られた場合に、音声命令の音声照合を実行し、音声照合が成功した後に、音声命令から処理指示情報を抽出し、処理指示情報に従ってユーザの音声命令に応答するよう構成される。
【００８５】
詳細には、ユーザの音声命令を識別するとは、ユーザの音声命令に含まれるウェークアップ指示情報を抽出するべく、ユーザの音声命令が、例えば、「やあ」または「こんにちは」などユーザにより事前設定されたワードである事前設定されたウェークアップワードを含むか否かを検出することである。
【００８６】
音声命令の音声照合を実行するとは、照合をパスしたユーザだけが端末を利用出来るように、およびさらに端末の音声操作を実行出来るように、音声命令を発したユーザが事前設定されたユーザであるか否かを判断すべく音声命令の音声の声紋認識を実行することであり、これにより、端末のセキュリティ性能が向上させられる。
【００８７】
音声照合が成功した後に、音声命令からウェークアップ指示情報が取り除かれ、音声命令の処理指示情報が抽出され、処理指示情報がテキストに変換され、処理指示情報の意味がテキストに従って識別され、得られた意味に従って応答が行われる。
【００８８】
確かに、本願発明の本実施形態の例示的な実施法において、オーディオモニタリングユニット６０はマイクであり得る。
【００８９】
本願発明の本実施形態で提供される端末によると、ユーザは、複数回の音声インタラクションを要することなく、複数のタスクを完了するよう端末を制御するために１つの音声命令を用いればよく、同方法は利用が簡単であり、高セキュリティ性能をもたらす。
【００９０】
第１抽出ユニットおよび第２抽出ユニット、第１処理ユニットおよび第２処理ユニット、並びに第１実行モジュールおよび第２実行モジュールは、順序関係または数量単位を示唆するものではなく、異なる複数のモジュールまたは複数のユニットを区別するよう意図されていることが理解されるべきである。
【００９１】
当業者は、本願発明の様々な複数の態様、または様々な複数の態様の複数の可能な実施例がシステム、方法、またはコンピュータプログラムプロダクトにおいて詳細に実施され得ることを理解し得る。さらに、本願発明の様々な複数の態様、または様々な複数の態様の複数の可能な実施例は、コンピュータプログラムプロダクトの形態であり得、ここでコンピュータプログラムプロダクトとは、コンピュータ可読媒体に格納されるコンピュータ可読プログラムコードを指す。
【００９２】
コンピュータ可読媒体は、コンピュータ可読信号媒体またはコンピュータ可読記憶媒体であり得る。コンピュータ可読記憶媒体は、電子、磁気、光、電磁気、赤外線、または半導体システム、デバイス、または装置、若しくはこれらの何らかの適した組み合わせ、例えば、ランダムアクセスメモリ（ＲＡＭ）、読み取り専用メモリ（ＲＯＭ）、消去可能プログラム可能読み取り専用メモリ（ＥＰＲＯＭまたはＦＬＡＳＨ）、光ファイバ、コンパクトディスク読み取り専用メモリ（ＣＤ−ＲＯＭ）を含むが、これらに限定されない。
【００９３】
コンピュータのプロセッサは、複数のフローチャートの各段階における、若しくは、複数の段階からなる組み合わせにおける特定の機能および動作がプロセッサにより実行され、複数のブロック図の各ブロックまたは複数のブロックからなる組み合わせにおける特定の機能および動作を実施するための装置を生成するよう、コンピュータ可読媒体に格納されるコンピュータ可読プログラムコードを読み取る。
【００９４】
コンピュータ可読プログラムコードは、全てがユーザコンピュータ単体で実行され得、または、その一部が、スタンドアロン型ソフトウェアパッケージとしてユーザコンピュータで実行され得、または、その一部が、その他の一部が遠隔コンピュータで実行される間にローカルコンピュータで実行され得、または全てが遠隔コンピュータまたはサーバで実行され得る。いくつかの代替的な実施解決法において、複数のフローチャートの各段階、または複数のブロック図の各ブロックにおける複数の特定の機能は、例示された順序で起こらないかもしれないことにも留意されるべきである。例えば、関与する機能に依存する、例示における２つの連続した段階、または２つのブロックが実際には実質的に同時に実行され得、これらのブロックは場合によっては反対の順序で実行され得る。
【００９５】
当業者が、本願発明の思想および態様から逸脱することなく本願発明の様々な複数の変形および変更を行いうることが明らかである。本願発明は、以下の複数の請求項またはそれらの複数の同等の技術により定義される保護範囲に含まれるという条件で、これらの複数の変形および複数の変更を網羅するよう意図されている。
[項目１]
ユーザの音声命令が受信されたときに、上記音声命令を識別し、上記音声命令からウェークアップ指示情報を抽出する段階と、
抽出により上記ウェークアップ指示情報が得られた場合に、上記音声命令の音声照合を実行する段階と、
上記音声照合が成功した後に、上記音声命令から処理指示情報を抽出し、上記処理指示情報に従って上記ユーザの上記音声命令に応答する段階と
を備える、端末音声制御方法。
[項目２]
上記音声照合が成功した後に、上記音声命令から上記処理指示情報を抽出し、上記処理指示情報に従って上記ユーザの上記音声命令に応答する段階は、
上記音声照合が成功した後に、端末がスクリーンロック状態にあることを検出した場合に、端末スクリーンを明るくし、上記端末スクリーンをアンロックし、上記音声命令から上記処理指示情報を抽出し、上記処理指示情報に従って上記ユーザの上記音声命令に応答する段階と、
上記音声照合が成功した後に、上記端末がスクリーンロック状態にないことを検出した場合に、上記音声命令から上記処理指示情報を抽出し、上記処理指示情報に従って上記ユーザの上記音声命令に応答する段階と
を有する、項目１に記載の端末音声制御方法。
[項目３]
抽出によりウェークアップ指示情報が得られない場合に、上記ユーザの音声命令の受信を継続して待機する段階をさらに備える、項目１に記載の端末音声制御方法。
[項目４]
上記音声照合が失敗したときに再照合を促し、照合回数が閾値を超えても上記照合がまだ失敗である場合に、上記ユーザの音声命令の受信を停止する段階をさらに備える、項目１に記載の端末音声制御方法。
[項目５]
上記音声照合が成功した後に、上記音声命令から上記処理指示情報を抽出し、上記処理指示情報に従って上記ユーザの上記音声命令に応答する段階は、
上記ウェークアップ指示情報が上記音声命令から取り除かれた後に上記音声命令の上記処理プロンプト情報を抽出し、上記処理指示情報をテキストに変換する段階と、
上記テキストに従って上記処理プロンプト情報の意味を識別し、得られた上記意味に従って応答を行う段階と
を有する、項目１に記載の端末音声制御方法。
[項目６]
ユーザの音声命令が受信されたときに、上記音声命令を識別し、上記音声命令からウェークアップ指示情報を抽出するよう構成された受信ユニットと、
抽出により上記ウェークアップ指示情報が得られた場合に、上記音声命令の音声照合を実行するよう構成された第１抽出ユニットと、
上記音声照合が成功した後に、上記音声命令から処理指示情報を抽出し、上記処理指示情報に従って上記ユーザの上記音声命令に応答するよう構成された第１処理ユニット段階と
を備える、端末音声制御装置。
[項目７]
上記第１処理ユニットは、
上記音声照合が成功した後に、端末がスクリーンロック状態にあることを検出した場合に、端末スクリーンを明るくし、上記端末スクリーンをアンロックし、上記音声命令から上記処理指示情報を抽出し、上記処理指示情報に従って上記ユーザの上記音声命令に応答するよう構成された第１実行モジュールと、
上記音声照合が成功した後に、上記端末がスクリーンロック状態にないことを検出した場合に、上記音声命令から上記処理指示情報を抽出し、上記処理指示情報に従って上記ユーザの上記音声命令に応答するよう構成された第２実行モジュールと
を有する、項目６に記載の端末音声制御装置。
[項目８]
抽出によりウェークアップ指示情報が得られない場合に、上記ユーザの音声命令の受信を継続して待機するよう構成された第２抽出ユニットをさらに備える、項目６に記載の端末音声制御装置。
[項目９]
上記音声照合が失敗したときに再照合を促し、照合回数が閾値を超えても上記照合がまだ失敗である場合に、上記ユーザの音声命令の受信を停止するよう構成された第２処理ユニットをさらに備える、項目６に記載の端末音声制御装置。
[項目１０]
上記第１処理ユニットは、
上記ウェークアップ指示情報が上記音声命令から取り除かれた後に上記音声命令の上記処理プロンプト情報を抽出し、上記処理指示情報をテキストに変換するよう構成された変換モジュールと、
上記テキストに従って上記処理プロンプト情報の意味を識別し、得られた上記意味に従って応答を行うよう構成された応答モジュールと
を有する、項目６に記載の端末音声制御装置。
[項目１１]
オーディオモニタリングユニットと、
プロセッサと
を備え、
上記オーディオモニタリングユニットは、ユーザにより発せられた音声命令を捉えるよう構成され、
上記プロセッサは、
上記ユーザの上記音声命令が受信されたときに、上記音声命令を識別し、上記音声命令からウェークアップ指示情報を抽出し、
抽出により上記ウェークアップ指示情報が得られた場合に、上記音声命令の音声照合を実行し、
上記音声照合が成功した後に、上記音声命令から処理指示情報を抽出し、上記処理指示情報に従って上記ユーザの上記音声命令に応答するよう構成される、端末。
【国際調査報告】
2016502829.tif 000010
2016502829.tif 000011
2016502829.tif 000012
2016502829.tif 000013